(57)【要約】      （修正有）【課題】給電により発光し得る多数の発光部を備えており適宜箇所に架装して発光させて使用し得る発光用条体を収容した状態で装飾品又は発光装飾品として用い得る巻回収容器を提供する。【解決手段】側周壁部Ｒを構成する断面正方形状の筒状体Ｐ、断面正方形の筒状の巻き芯体Ｗ、筒状体Ｐの一端開口部及び他端開口部にそれぞれ着脱可能な正方形状の蓋体Ａ及び蓋体Ｂ、蓋体Ａに設けられた中空且つ底部開口の四角錐台形状の給電手段収容部Ｍ、発光用条体、電源装置からなる。筒状体Ｐ、巻き芯体Ｗ、蓋体Ａ、蓋体Ｂ、給電手段収容部Ｍは、実質上無色の透明合成樹脂材料からなる。蓋体Ｂの中央部に、巻き芯体の端部が嵌合する正方形状の嵌合凹部Ｖｂを設ける。給電手段収容部Ｍは、開口底部において蓋体Ａに着脱可能に嵌合する。給電手段収容部Ｍの上部中央部に、巻き芯体Ｗの端部が嵌合する正方形状の嵌合凹部Ｖａを設ける。【選択図】図１
0003145462.tif 000002
【実用新案登録請求の範囲】
【請求項１】
全体又は部分に透光性を有する側周壁部と、柱状の１又は２以上の巻き芯体を、少なくとも備えてなり、給電により発光し得る多数の発光部を備えた発光用条体を、前記巻き芯体に巻回して前記側周壁部により囲繞収容し得、前記側周壁部による囲繞は解除し得る巻回収容器であって、
前記側周壁部が前記巻き芯体を囲繞した状態でそれらの側周壁部と巻き芯体の位置関係を保持するための保持機構を備えることを特徴とする巻回収容器。
【請求項２】
上記側周壁部が筒状体により構成されており、
その筒状体の一端開口部に着脱可能な蓋体Ａを有し、
その蓋体Ａにより巻き芯体の一端部を着脱可能に又は固定的に支持する支持機構Ａを有しており、
筒状体の一端開口部に蓋体Ａを取り付けて筒状体を蓋体Ａに対し支持する機構と、蓋体Ａに対し巻き芯体を支持する前記支持機構Ａとが、保持機構を構成する請求項１記載の巻回収容器。
【請求項３】
蓋体Ａに、上記発光用条体に給電するための給電手段を収容する給電手段収容部を備える請求項２記載の巻回収容器。
【請求項４】
上記筒状体の他端開口部に着脱可能な蓋体Ｂを有し、
筒状体の一端開口部及び他端開口部にそれぞれ蓋体Ａ及び蓋体Ｂを取り付けて筒状体を蓋体Ａ及び蓋体Ｂに対し支持する機構と、蓋体Ａに対し巻き芯体を支持する上記支持機構Ａとが、保持機構を構成する請求項２又は３記載の巻回収容器。
【請求項５】
上記蓋体Ｂにより巻き芯体の他端部を着脱可能に又は固定的に支持する支持機構Ｂを有し、蓋体Ｂに対し巻き芯体を支持する前記支持機構Ｂが、上記保持機構の一部を構成する請求項４記載の巻回収容器。
【請求項６】
蓋体Ｂに、上記発光用条体に給電するための給電手段を収容する給電手段収容部を備える請求項４又は５記載の巻回収容器。
【請求項７】
上記側周壁部が筒状体により構成されており、
その筒状体内の軸方向中間位置に、巻き芯体の一端部を着脱可能に支持する支持部材が設けられ、
前記支持部材が筒状体を支持すると共に巻き芯体の一端部を支持する機構が保持機構を構成する請求項１記載の巻回収容器。
【請求項８】
上記側周壁部が有底筒状体の側周壁部により構成されており、
前記有底筒状体の底部に、巻き芯体の一端部を着脱可能に支持する支持機構Ｘを有し、
前記有底筒状体の底部が有底筒状体の側周壁部を支持する機構と、前記底部に対し巻き芯体を支持する前記支持機構Ｘとが、保持機構を構成する請求項１記載の巻回収容器。
【請求項９】
上記有底筒状体の底部に、上記発光用条体に給電するための給電手段を収容する給電手段収容部を備える請求項８記載の巻回収容器。
【請求項１０】
上記有底筒状体の一端開口部に着脱可能な蓋体Ｃを有し、
前記有底筒状体の底部が有底筒状体の側周壁部を支持する機構と、有底筒状体の一端開口部に蓋体Ｃを取り付けて有底筒状体の側周壁部を蓋体Ｃに対し支持する機構と、前記底部に対し巻き芯体を支持する上記支持機構Ｘとが、保持機構を構成する請求項８又は９記載の巻回収容器。
【請求項１１】
上記蓋体Ｃにより巻き芯体の他端部を着脱可能に又は固定的に支持する支持機構Ｃを有し、蓋体Ｃに対し巻き芯体を支持する前記支持機構Ｃが、上記保持機構の一部を構成する請求項１０記載の巻回収容器。
【請求項１２】
蓋体Ｃに、上記発光用条体に給電するための給電手段を収容する給電手段収容部を備える請求項１０又は１１記載の巻回収容器。
【請求項１３】
上記側周壁部が有底筒状体の側周壁部により構成されており、
その有底筒状体の一端開口部に着脱可能な蓋体Ｃを有し、
その蓋体Ｃにより巻き芯体の一端部を着脱可能に又は固定的に支持する支持機構Ｃを有しており、
前記有底筒状体の底部が有底筒状体の側周壁部を支持する機構と、有底筒状体の一端開口部に蓋体Ｃを取り付けて有底筒状体の側周壁部を蓋体Ｃに対し支持する機構と、蓋体Ｃに対し巻き芯体を支持する前記支持機構Ｃとが、保持機構を構成する請求項１記載の巻回収容器。
【請求項１４】
上記側周壁部が有底筒状体の側周壁部により構成されており、
その有底筒状体内の軸方向中間位置に、巻き芯体の一端部を支持する支持部材が設けられ、
前記有底筒状体の底部が有底筒状体の側周壁部を支持する機構と、前記支持部材が筒状体を支持すると共に巻き芯体の一端部を支持する機構とが、保持機構を構成する請求項１記載の巻回収容器。
【請求項１５】
給電により発光し得る多数の発光部を備えた発光用条体が上記巻き芯に巻回されている請求項１乃至１４の何れか１項に記載の巻回収容器。
【考案の詳細な説明】
【技術分野】
【０００１】
本考案は、給電により発光し得る多数の発光部を備えており適宜箇所に架装して発光させて使用し得る発光用条体を収容した状態で装飾品又は発光装飾品として用いることができる巻回収容器に関する。
【背景技術】
【０００２】
自然木、クリスマスツリー等の人工的な木、或いは、建物等の所要箇所に架装して発光部を点灯又は点滅させて楽しむためのものとして、給電により発光し得る多数の小電球や発光ダイオード等の発光部を備えた発光用条体が従来より用いられている。より具体的には、導電コードに間隔おきに小電球や発光ダイオード等の発光部を配し、給電によりそれらの発光部が点灯又は点滅するものを挙げることができる。
【０００３】
例えば、特表２００２−５１１６４０号公報には、交流電源に接続されるようにされた直列接続の白熱電球の一組のストリングであって、前記組における電球のフィラメントは全て個々に非電子なだれ型分路回路が設けられ、該回路は作動している電球がそれぞれのソケットに差し込まれているか否かには関係なく、電球のソケットの各々に亘って定格電圧を概ね保持し、それにより残りの作動電球の照射が概ね不変であり、複数の電球がそれぞれのソケットから外されていたとしても概ね同じ定格電流が前記組のストリングを通して流れ続けるクリスマス・ツリー等の一組のライト・ストリングが開示されている。
【０００４】
この種の発光用条体は、所要箇所に架装して使用するという使われ方がほとんどであり、而も、クリスマスの時期等の特定の季節にのみ使用され、それ以外の時期においては収容ケースに収容して適宜の箇所に収納されているのが通例であった。
【特許文献１】特表２００２−５１１６４０号公報
【考案の開示】
【考案が解決しようとする課題】
【０００５】
本考案は、従来技術に存した上記のような課題に鑑み行われたものであって、その目的とするところは、給電により発光し得る多数の発光部を備えており適宜箇所に架装して発光させて使用し得る発光用条体を収容した状態で装飾品又は発光装飾品として用いることができる巻回収容器を提供することにある。
【課題を解決するための手段】
【０００６】
(1) 上記目的を達成する本考案の巻回収容器は、
全体又は部分に透光性を有する側周壁部と、柱状の１又は２以上の巻き芯体を、少なくとも備えてなり、給電により発光し得る多数の発光部を備えた発光用条体を、前記巻き芯体に巻回して前記側周壁部により囲繞収容し得、前記側周壁部による囲繞は解除し得る巻回収容器であって、
前記側周壁部が前記巻き芯体を囲繞した状態でそれらの側周壁部と巻き芯体の位置関係を保持するための保持機構を備えることを特徴とする。
【０００７】
また本考案の巻回収容器は、給電により発光し得る多数の発光部を備えた発光用条体が上記巻き芯に巻回されているものとすることができる。
【０００８】
給電により発光し得る多数の発光部を備えた発光用条体を、巻き芯体に巻回して側周壁部により囲繞収容することができる。側周壁部は全体又は部分に透光性を有するので、その状態で一種の装飾品としての効果を有し、更に、給電によって発光用条体の発光部を発光させることにより、発光装飾品として用いることができる。
【０００９】
また、発光用条体を巻回した巻き芯体についての側周壁部による囲繞を解除することができ、それにより、発光用条体を巻き芯体から容易に外すことができ、外した発光用条体を自然木や人工的な木等の適宜箇所に架装する等して発光させて使用することができる。
【００１０】
(2) 本考案の巻回収容器は、上記側周壁部が筒状体により構成されており、
その筒状体の一端開口部に着脱可能な蓋体Ａを有し、
その蓋体Ａにより巻き芯体の一端部を着脱可能に又は固定的に支持する支持機構Ａを有しており、
筒状体の一端開口部に蓋体Ａを取り付けて筒状体を蓋体Ａに対し支持する機構と、蓋体Ａに対し巻き芯体を支持する前記支持機構Ａとが、保持機構を構成するものであることが好ましい。
【００１１】
この場合、蓋体Ａに支持されている巻き芯体に発光用条体を巻回するか又は蓋体Ａに支持されていない状態の巻き芯体に発光用条体を巻回してその巻き芯体の一端部を蓋体Ａにより支持させ、筒状体の一端開口部に蓋体Ａを取り付けることにより、巻き芯体に巻回した発光用条体を筒状体により囲繞収容し得る。
【００１２】
筒状体の一端開口部から蓋体Ａを外し、発光用条体を巻回した巻き芯体と筒状体の一方から他方を抜き出すことにより、筒状体を発光用条体を巻回した巻き芯体についての筒状体による囲繞を解除することができる。その上、蓋体Ａに支持されている巻き芯体又は蓋体Ａから取り外した巻き芯体から発光用条体を外すことができる。
【００１３】
また本考案の巻回収容器は、蓋体Ａに、上記発光用条体に給電するための給電手段を収容する給電手段収容部を備えるものであることが好ましい。
【００１４】
この場合、蓋体Ａに給電手段を収容する給電手段収容部を備えることにより、発光用条体と共に、電源装置或いは導電コード等の給電手段を、巻回収容器に収容することができる。
【００１５】
従って、発光用条体を巻き芯体に巻回して筒状体により囲繞収容し、給電手段収容部に給電手段を収容することにより、一種の装飾品としての効果を有し、更に、給電手段の全部又は所定部分を給電手段収容部に収容した状態で、或いは給電手段を外部へ取り出した状態で、給電によって発光用条体の発光部を発光させることにより、発光装飾品として用いることができる。
【００１６】
また本考案の巻回収容器は、上記筒状体の他端開口部に着脱可能な蓋体Ｂを有し、
筒状体の一端開口部及び他端開口部にそれぞれ蓋体Ａ及び蓋体Ｂを取り付けて筒状体を蓋体Ａ及び蓋体Ｂに対し支持する機構と、蓋体Ａに対し巻き芯体を支持する上記支持機構Ａとが、保持機構を構成するものであることが好ましい。
【００１７】
この場合、蓋体Ａに支持されている巻き芯体に発光用条体を巻回するか又は蓋体Ａに支持されていない状態の巻き芯体に発光用条体を巻回してその巻き芯体の一端部を蓋体Ａに支持させ、筒状体の一端開口部及び他端開口部にそれぞれ蓋体Ａ及び蓋体Ｂを取り付けることにより、巻き芯体に巻回した発光用条体を筒状体により囲繞収容し得る。
【００１８】
筒状体の一端開口部及び他端開口部からそれぞれ蓋体Ａ及び蓋体Ｂを外し、発光用条体を巻回した巻き芯体と筒状体の一方から他方を抜き出すことにより（なお、蓋体Ａ及び蓋体Ｂの一方を外せば抜き出し可能な場合は一方のみ外せばよい。）、発光用条体を巻回した巻き芯体についての筒状体による囲繞を解除することができる。その上、蓋体Ａに支持されている巻き芯体又は蓋体Ａから取り外した巻き芯体から発光用条体を外すことができる。
【００１９】
また本考案の巻回収容器は、上記蓋体Ｂにより巻き芯体の他端部を着脱可能に又は固定的に支持する支持機構Ｂを有し、蓋体Ｂに対し巻き芯体を支持する前記支持機構Ｂが、上記保持機構の一部を構成するものであることが好ましい。
【００２０】
この場合、蓋体Ａ及び蓋体Ｂの一方又は両方に支持されている巻き芯体に発光用条体を巻回するか或いは蓋体Ａ及び蓋体Ｂの何れにも支持されていない状態の巻き芯体に発光用条体を巻回してその巻き芯体の一端部又は両端部を蓋体Ａ又は蓋体Ａ及び蓋体Ｂに支持させ、筒状体の一端開口部及び他端開口部にそれぞれ蓋体Ａ及び蓋体Ｂを取り付けることにより、巻き芯体に巻回した発光用条体を筒状体により囲繞収容し得る。
【００２１】
筒状体の一端開口部及び他端開口部からそれぞれ蓋体Ａ及び蓋体Ｂを外し、発光用条体を巻回した巻き芯体と筒状体の一方から他方を抜き出すことにより（なお、蓋体Ａ及び蓋体Ｂの一方を外せば抜き出し可能な場合は一方のみ外せばよい。）、発光用条体を巻回した巻き芯体についての筒状体による囲繞を解除することができる。その上、蓋体Ａ及び蓋体Ｂに支持されている巻き芯体又は蓋体Ａ及び蓋体Ｂの一方又は両方から取り外した巻き芯体から発光用条体を外すことができる。
【００２２】
また本考案の巻回収容器は、蓋体Ｂに、上記発光用条体に給電するための給電手段を収容する給電手段収容部を備えるものであることが好ましい。
【００２３】
この場合、蓋体Ｂに給電手段を収容する給電手段収容部を備えることにより、発光用条体と電源装置或いは導電コード等の給電手段を共に巻回収容器に収容することができる。
【００２４】
従って、発光用条体を巻き芯体に巻回して筒状体により囲繞収容し、給電手段収容部に給電手段を収容することにより、一種の装飾品としての効果を有し、更に、給電手段の全部又は所定部分を給電手段収容部に収容した状態で、或いは給電手段を外部へ取り出した状態で、給電によって発光用条体の発光部を発光させることにより、発光装飾品として用いることができる。
【００２５】
(3) 本考案の巻回収容器は、上記側周壁部が筒状体により構成されており、
その筒状体内の軸方向中間位置に、巻き芯体の一端部を着脱可能に支持する支持部材が設けられ、
前記支持部材が筒状体を支持すると共に巻き芯体の一端部を支持する機構が保持機構を構成するものであることが好ましい。
【００２６】
この場合、巻き芯体に発光用条体を巻回してその巻き芯体の他端部を筒状体内の軸方向中間位置に設けられた支持部材により支持させ、筒状体の一端開口部に蓋体Ａを取り付けることにより、巻き芯体に巻回した発光用条体を筒状体により囲繞収容し得る。
【００２７】
巻き芯体を支持部材から外すことにより、発光用条体を巻回した巻き芯体を筒状体から分離し、巻き芯体から発光用条体を外すことができる。
【００２８】
(4) 本考案の巻回収容器は、上記側周壁部が有底筒状体の側周壁部により構成されており、
前記有底筒状体の底部に、巻き芯体の一端部を着脱可能に支持する支持機構Ｘを有し、
前記有底筒状体の底部が有底筒状体の側周壁部を支持する機構と、前記底部に対し巻き芯体を支持する前記支持機構Ｘとが、保持機構を構成するものであることが好ましい。
【００２９】
この場合、有底筒状体の底部に支持されていない状態の巻き芯体に発光用条体を巻回してその巻き芯体の一端部を前記底部に支持させることにより、巻き芯体に巻回した発光用条体を筒状体により囲繞収容し得る。
【００３０】
巻き芯体を前記底部から外して有底筒状体から抜き出すことにより、発光用条体を巻回した巻き芯体についての側周壁部による囲繞を解除することができる。その上、取り外した巻き芯体から発光用条体を外すことができる。
【００３１】
また本考案の巻回収容器は、上記有底筒状体の底部に、上記発光用条体に給電するための給電手段を収容する給電手段収容部を備えるものであることが好ましい。
【００３２】
この場合、有底筒状体の底部に給電手段を収容する給電手段収容部を備えることにより、発光用条体と電源装置或いは導電コード等の給電手段を共に巻回収容器に収容することができる。
【００３３】
従って、発光用条体を巻き芯体に巻回して有底筒状体の側周壁部により囲繞収容し、給電手段収容部に給電手段を収容することにより、一種の装飾品としての効果を有し、更に、給電手段の全部又は所定部分を給電手段収容部に収容した状態で、或いは給電手段を外部へ取り出した状態で、給電によって発光用条体の発光部を発光させることにより、発光装飾品として用いることができる。
【００３４】
また本考案の巻回収容器は、上記有底筒状体の一端開口部に着脱可能な蓋体Ｃを有し、
前記有底筒状体の底部が有底筒状体の側周壁部を支持する機構と、有底筒状体の一端開口部に蓋体Ｃを取り付けて有底筒状体の側周壁部を蓋体Ｃに対し支持する機構と、前記底部に対し巻き芯体を支持する上記支持機構Ｘとが、保持機構を構成するものであることが好ましい。
【００３５】
この場合、有底筒状体の底部に支持されていない状態の巻き芯体に発光用条体を巻回してその巻き芯体の一端部を前記底部に支持させ、有底筒状体の一端開口部に蓋体Ｃを取り付けることにより、巻き芯体に巻回した発光用条体を筒状体により囲繞収容し得る。
【００３６】
有底筒状体の一端開口部から蓋体Ｃを外し、巻き芯体を前記底部から外して有底筒状体から抜き出すことにより、発光用条体を巻回した巻き芯体についての側周壁部による囲繞を解除することができる。その上、取り外した巻き芯体から発光用条体を外すことができる。
【００３７】
また本考案の巻回収容器は、上記蓋体Ｃにより巻き芯体の他端部を着脱可能に又は固定的に支持する支持機構Ｃを有し、蓋体Ｃに対し巻き芯体を支持する前記支持機構Ｃが、上記保持機構の一部を構成するものであることが好ましい。
【００３８】
この場合、蓋体Ｃに支持されている巻き芯体に発光用条体を巻回するか或いは蓋体Ｃに支持されていない状態の巻き芯体に発光用条体を巻回してその巻き芯体の一端部を有底筒状体の底部に支持させ、筒状体の一端開口部に蓋体Ｃを取り付けることにより、巻き芯体に巻回した発光用条体を有底筒状体の側周壁部により囲繞収容し得る。
【００３９】
有底筒状体の一端開口部から蓋体Ｃを外し、巻き芯体を前記底部から抜き出して有底筒状体から抜き出すことにより、発光用条体を巻回した巻き芯体についての側周壁部による囲繞を解除することができる。その上、取り外した巻き芯体から発光用条体を外すことができる。
【００４０】
また本考案の巻回収容器は、蓋体Ｃに、上記発光用条体に給電するための給電手段を収容する給電手段収容部を備えるものであることが好ましい。
【００４１】
この場合、蓋体Ｃに給電手段を収容する給電手段収容部を備えることにより、発光用条体と電源装置或いは導電コード等の給電手段を共に巻回収容器に収容することができる。
【００４２】
従って、発光用条体を巻き芯体に巻回して有底筒状体の側周壁部により囲繞収容し、給電手段収容部に給電手段を収容することにより、一種の装飾品としての効果を有し、更に、給電手段の全部又は所定部分を給電手段収容部に収容した状態で、或いは給電手段を外部へ取り出した状態で、給電によって発光用条体の発光部を発光させることにより、発光装飾品として用いることができる。
【００４３】
(5) 本考案の巻回収容器は、上記側周壁部が有底筒状体の側周壁部により構成されており、
その有底筒状体の一端開口部に着脱可能な蓋体Ｃを有し、
その蓋体Ｃにより巻き芯体の一端部を着脱可能に又は固定的に支持する支持機構Ｃを有しており、
前記有底筒状体の底部が有底筒状体の側周壁部を支持する機構と、有底筒状体の一端開口部に蓋体Ｃを取り付けて有底筒状体の側周壁部を蓋体Ｃに対し支持する機構と、蓋体Ｃに対し巻き芯体を支持する前記支持機構Ｃとが、保持機構を構成するものであることが好ましい。
【００４４】
この場合、蓋体Ｃに支持されている巻き芯体に発光用条体を巻回するか又は蓋体Ｃに支持されていない状態の巻き芯体に発光用条体を巻回してその巻き芯体の一端部を蓋体Ａに支持させ、発光用条体を巻回した巻き芯体を有底筒状体内に挿入してその一端開口部に蓋体Ｃを取り付けることにより、巻き芯体に巻回した発光用条体を有底筒状体の側周壁部により囲繞収容し得る。
【００４５】
有底筒状体の一端開口部から蓋体Ｃを外して巻き芯体を有底筒状体から抜き出すことにより、発光用条体を巻回した巻き芯体についての有底筒状体の側周壁部による囲繞を解除することができる。その上、蓋体Ｃに支持されている巻き芯体又は蓋体Ｃから取り外した巻き芯体から発光用条体を外すことができる。
【００４６】
(6) 本考案の巻回収容器は、上記側周壁部が有底筒状体の側周壁部により構成されており、
その有底筒状体内の軸方向中間位置に、巻き芯体の一端部を支持する支持部材が設けられ、
前記有底筒状体の底部が有底筒状体の側周壁部を支持する機構と、前記支持部材が筒状体を支持すると共に巻き芯体の一端部を支持する機構とが、保持機構を構成するものであることが好ましい。
【００４７】
この場合、巻き芯体に発光用条体を巻回してその巻き芯体の他端部を有底筒状体内の軸方向中間位置に設けられた支持部材により支持させることにより、巻き芯体に巻回した発光用条体を有底筒状体の側周壁部により囲繞収容し得る。
【００４８】
巻き芯体を支持部材から外すことにより、発光用条体を巻回した巻き芯体を有底筒状体から抜き出し、巻き芯体から発光用条体を外すことができる。
【考案の効果】
【００４９】
本考案の巻回収容器においては、給電により発光し得る多数の発光部を備えた発光用条体を、巻き芯体に巻回して側周壁部により囲繞収容することができる。側周壁部は全体又は部分に透光性を有するので、その状態で一種の装飾品としての効果を有し、更に、給電によって発光用条体の発光部を発光させることにより、発光装飾品として用いることができる。
【００５０】
また、発光用条体を巻回した巻き芯体についての側周壁部による囲繞を解除することができ、それにより、発光用条体を巻き芯体から容易に外すことができ、外した発光用条体を自然木や人工的な木等の適宜箇所に架装する等して発光させて使用することができる。
【考案を実施するための最良の形態】
【００５１】
本考案の実施の形態を、図面を参照しつつ説明する。
【００５２】
図１乃至図３は本考案の実施の形態の一例に関するものであって、そのうち図１は模式的斜視図、図２は模式的中央縦断面図、図３は模式的組立図である。
【００５３】
この例の巻回収容器Ｎは、側周壁部Ｒを構成する断面正方形状の筒状体Ｐ、断面正方形の筒状の巻き芯体Ｗ、筒状体Ｐの一端開口部及び他端開口部にそれぞれ着脱可能な正方形状の蓋体Ａ及び蓋体Ｂ、蓋体Ａに設けられた中空且つ底部開口の四角錐台形状の給電手段収容部Ｍ、多数の発光部Ｌａを備えた発光用条体Ｌ、及び電源装置Ｓ（給電手段）からなる。筒状体Ｐ、巻き芯体Ｗ、蓋体Ａ、蓋体Ｂ、及び給電手段収容部Ｍは、実質上無色の透明合成樹脂材料からなる。
【００５４】
蓋体Ｂの中央部には、巻き芯体Ｗの端部が嵌合する正方形状の嵌合凹部Ｖｂが設けられている。
【００５５】
給電手段収容部Ｍは、その開口底部Ｍａにおいて蓋体Ａに着脱可能に嵌合する。給電手段収容部Ｍの上部中央部には、巻き芯体Ｗの端部が嵌合する正方形状の嵌合凹部Ｖａが設けられている。
【００５６】
蓋体Ａ上に電源装置Ｓを載せてその上から給電手段収容部Ｍを被せて給電手段収容部Ｍの開口底部Ｍａを蓋体Ａの側壁内に嵌合させることにより、巻回収容器Ｎにおける給電手段収容部Ｍに電源装置Ｓを収容することができる。
【００５７】
巻き芯体Ｗに対し発光用条体Ｌを巻回し、その巻き芯体Ｗを筒状体Ｐ内に挿入すると共に巻き芯体Ｗの両端をそれぞれ蓋体Ｂ及び蓋体Ａの給電手段収容部Ｍの各嵌合凹部Ｖｂ・嵌合凹部Ｖａに嵌合させつつ、蓋体Ａを筒状体Ｐの下端部に外嵌させ且つ蓋体Ｂを筒状体Ｐの上端部に外嵌させることにより、保持機構が構成され、これにより、巻き芯体Ｗに巻回した発光用条体Ｌが筒状体Ｐの軸線に沿う状態でそれを筒状体Ｐ内に囲繞収容される。
【００５８】
筒状体Ｐ、巻き芯体Ｗ、蓋体Ａ、蓋体Ｂ、及び給電手段収容部Ｍは、実質上無色透明であるため、その状態で一種の装飾品としての効果を有する。更に、電源装置Ｓを外部に位置させて電源に接続し、発光用条体Ｌの一部を筒状体Ｐの端部に設けた切欠部（図示せず）を通じて外部に導出して電源装置Ｓに接続することにより、発光用条体Ｌの発光部Ｌａを発光させる発光装飾品として用いることができる。
【００５９】
蓋体Ａ（給電手段収容部Ｍを含む）および／または蓋体Ｂを取り外すことにより、発光用条体Ｌを巻回した巻き芯体Ｗを筒状体Ｐの外部へ取り出し、発光用条体Ｌを巻き芯体Ｗから外すことができ、外した発光用条体Ｌを例えば適宜箇所に架装して発光させて使用することができる。
【００６０】
なお、給電手段収容部Ｍを蓋体Ｂにも或いは蓋体Ｂにのみ、着脱可能に備えるものとすることもできる。また、蓋体Ｂ又は蓋体Ａを有しないものとすることもできる。また、巻き芯体Ｗが蓋体Ａが備える給電手段収容部Ｍおよび／または蓋体Ｂに固定支持されたものとすることもできる。巻き芯体Ｗが、蓋体Ａが備える給電手段収容部Ｍ及び蓋体Ｂの両者に固定支持されたものである場合、蓋体Ａ又は蓋体Ｂは筒状体Ｐに内嵌されるものとすることができる。
【００６１】
更に、筒状体Ｐは有底筒状体（例えば図１乃至３における蓋体Ｂが筒状体Ｐに固定された状態）とすることもできる。有底筒状体の場合、その一端開口部に蓋体Ａを有しないものとすることもできる。また、巻き芯体Ｗの一端が蓋体Ａに固定支持されたものとすることもできる。
【００６２】
また更に、本考案の別の実施の形態の例についての模式的中央縦断面図である図４に示されるように、筒状体Ｐ（又は有底筒状体）の軸方向中間位置に設けられた支持部材Ｕの嵌合凹部Ｖｕに巻き芯体Ｗの一端部を嵌合させて支持するものとすることもできる。この場合、蓋体Ａ又は蓋体Ｂを有しないものとすることもできる。
【００６３】
本発明において、筒状体及び有底筒状体のそれぞれ全体又はそれぞれ側周壁部は、全体が透光性若しくは透明性（実質上無色透明のものの他、有色透明でもよい。）を有するものであってもよく、例えば、特定部分に、若しくは全体に満遍なく、透光性若しくは透明性を有する部分を備えるものであってもよい。各蓋体、巻き芯体及び給電手段収容部についても同様である。透光性を有するというのは、透明ではないが光を透過する状態を含むものである。
【００６４】
筒状体、有底筒状体、各蓋体及び巻き芯体の材料としては、例えば、各種合成樹脂、金属、ガラス、セラミクス、木材、紙、織布、不織布等を、単独で又は組み合わせて用いることができる。透光性又は透明性を有する必要のある部分については、各種合成樹脂、ガラス、紙、織布、不織布等の他、例えば、複数若しくは多数の透孔を設けた板状の金属、セラミクス、木材等を用いることもできる。筒状体、有底筒状体、各蓋体及び巻き芯体の材料は、同一であってもよく、互いに異なるものであってもよい。
【００６５】
筒状体の形状に特に限定はない。例えば、円筒状、三角又は四角筒状、その他の多角形筒状、楕円筒状等を挙げることができる。外周部に小突部を満遍なく有して発光用条体の巻回の便が図られたものとすることもできる。筒状体の断面形状は、軸線方向において一定であるもののほか、規則的に又は不規則に変化するものとすることもできる。また周方向において形状が変化するものであってもよい。有底筒状体の筒状部についても同様である。また筒状体及び有底筒状体は周方向又は軸方向に開閉又は分割可能なものとすることもできる。
【００６６】
有底筒状体の底部及び各蓋部の形状にも特に限定はない。筒状体又は有底筒状体の軸線方向を鉛直方向にした状態で巻回収容器が自立し得るものであることが望ましいが、必ずしもこれに限るものではない。
【００６７】
巻き芯体の形態についても特に限定はない。円柱、角柱、円筒、角筒等の直柱状の他、例えば、湾曲柱状、螺旋柱状、折曲柱状等とすることもできる。また、巻き芯体の高さは、筒状体及び有底筒状体の内部の上下端にわたるものであることを必ずしも要しない。また、巻き芯体は両端が蓋体若しくは有底筒状体の底部又は筒状体及び有底筒状体の内部の軸方向中間位置の支持部材により支持されることを要するものではない。巻き芯体の少なくとも一端が支持されるものであればよい。また、巻き芯体の数は、必ずしも１つに限らない。巻回収容器が巻き芯体を２以上備えていてもよい。
【００６８】
また給電手段収容部の形状にも特に限定はない。例えば各蓋体又は有底筒状体の底部の形状等及び収容すべき給電手段に合わせて、適宜形状及び大きさ等を選択し得る。
【００６９】
各蓋体、有底筒状体の底部、又は筒状体及び有底筒状体の内部の軸方向中間位置の支持部材により、巻き芯体の一端部又は他端部を着脱可能に又は固定的に支持する支持機構としては、例えば、巻き芯体の一端部又は他端部が、各蓋体、有底筒状体の底部、又は筒状体及び有底筒状体の内部の軸方向中間位置の支持部材に設けられた嵌合凹部に着脱可能に又は固定的に嵌合することにより支持するもの、或いは、巻き芯体の一端部又は他端部に嵌合凹部或いは貫通孔を有し、各蓋体、有底筒状体の底部、又は筒状体及び有底筒状体の内部の軸方向中間位置の支持部材に設けられた嵌合凸部に着脱可能に又は固定的に嵌合することにより支持するもの等を挙げることができるが、これらに限るものではない。
【００７０】
また発光用条体の例としては、給電により発光し得る多数の小電球や発光ダイオード等の発光部を備えたもの、より具体的には、導電コード又は導電チューブに間隔おきに小電球、発光ダイオード、有機ＥＬ等の発光部を配し、給電によりそれらの発光部が点灯又は点滅するもの、発光部の明るさが強弱変化可能なもの等を挙げることができる。
【００７１】
発光用条体に給電するための給電手段の例としては、電源コード、電源プラグ、コンバータ、インバータ、発光制御装置等の１又は２以上を挙げることができる。
【００７２】
なお、以上の実施の形態についての記述における上下位置関係は、単に図に基づいた説明の便宜のためのものであって、実際の使用状態等を限定するものではない。
【図面の簡単な説明】
【００７３】
【図１】模式的斜視図である。
【図２】模式的中央縦断面図である。
【図３】模式的組立図である。
【図４】別の例の模式的中央縦断面図である。
【符号の説明】
【００７４】
Ａ      蓋体
Ｂ      蓋体
Ｌ      発光用条体
Ｌａ    発光部
Ｍ      給電手段収容部
Ｍａ    開口底部
Ｎ      巻回収容器
Ｐ      筒状体
Ｒ      側周壁部
Ｓ      電源装置
Ｕ      支持部材
Ｖａ    嵌合凹部
Ｖｂ    嵌合凹部
Ｖｕ    嵌合凹部
Ｗ      巻き芯体
【図１】
0003145462.tif 000003
【図２】
0003145462.tif 000004
【図３】
0003145462.tif 000005
【図４】
0003145462.tif 000006